【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
画像処理装置であって、
外部装置との無線ダイレクト接続のために前記画像処理装置をアクセスポイントとして動作させるアクセスポイント動作を行う無線通信手段と、
前記無線ダイレクト接続に必要な接続情報の設定として、前記アクセスポイント動作を開始する際に予め定められた接続情報を用いてアクセスポイントを起動する第１設定、又は、前記アクセスポイント動作を開始する際に少なくとも前回とは異なる接続情報を用いて前記アクセスポイントを起動する第２設定を設定する設定手段と、
前記第１設定が設定されている場合には、前記画像処理装置を電源オフ状態から通常電力状態へ遷移させる立ち上げ動作において、ユーザによる前記アクセスポイントを起動するためのユーザによる開始指示を受け付けることなく前記アクセスポイント動作を開始し、前記第２設定が設定されている場合には、ユーザによる前記開始指示を受け付けたことに従って前記アクセスポイント動作を開始するよう、前記無線通信手段を制御する制御手段と、を備え、
前記画像処理装置は、前記第１設定が設定されている場合と前記第２設定が設定されている場合との両方において、前記画像処理装置が提供する前記アクセスポイントに接続した外部装置から、当該アクセスポイントを経由した無線通信で情報を受信し、当該受信した情報に基づいて印刷処理又はスキャンデータ送信処理を実行可能である
ことを特徴とする画像処理装置。
【請求項２】
前記制御手段は、
前記第１設定が設定されている場合には、前記画像処理装置が起動すると、前記予め定められた接続情報を前記アクセスポイント動作用に設定し、前記無線通信手段に前記アクセスポイント動作を開始させ、
前記第２設定が設定されている場合には、ユーザから前記開始指示を受け付けると、接続情報を新たに生成し、当該生成した接続情報を前記アクセスポイント動作用に設定し、前記無線通信手段に前記アクセスポイント動作を開始させる
ことを特徴とする請求項１に記載の画像処理装置。
【請求項３】
前記無線通信手段は、前記アクセスポイント動作を行っている間に前記接続情報に基づいて外部装置から接続要求を受信すると、当該外部装置と無線ダイレクト接続を確立し、
前記制御手段は、前記無線ダイレクト接続を切断するための切断イベントが発生すると、前記無線通信手段に前記無線ダイレクト接続を切断させる
ことを特徴とする請求項１又は２に記載の画像処理装置。
【請求項４】
前記制御手段は、
前記切断イベントがユーザによる停止指示である場合には、前記無線通信手段に前記アクセスポイント動作を停止させ、
前記切断イベントがユーザによる停止指示ではない場合には、
前記第１設定が設定されているときは、前記無線通信手段に前記アクセスポイント動作を継続させ、
前記第２設定が設定されているときは、前記無線通信手段に前記アクセスポイント動作を停止させる
ことを特徴とする請求項３に記載の画像処理装置。
【請求項５】
前記制御手段は、
前記第１設定が設定されている場合には、前記無線通信手段が前記アクセスポイント動作を開始してから所定時間内に接続要求が受信されなくとも、前記無線通信手段に前記アクセスポイント動作を継続させ、
前記第２設定が設定されている場合には、前記無線通信手段が前記アクセスポイント動作を開始してから前記所定時間内に接続要求が受信されないことを条件として、前記無線通信手段に前記アクセスポイント動作を停止させる
ことを特徴とする請求項１から４のいずれか１項に記載の画像処理装置。
【請求項６】
前記制御手段は、
前記第１設定が設定されており、かつ、前記アクセスポイント動作を常にオン状態にする設定が設定されている場合には、前記画像処理装置の起動に従って前記アクセスポイント動作を開始するよう、前記無線通信手段を制御し、
前記第１設定が設定されており、かつ、前記アクセスポイント動作を常にオン状態にする設定が設定されていない場合には、ユーザによる前記開始指示に従って前記アクセスポイント動作を開始するよう、前記無線通信手段を制御する
ことを特徴とする請求項１から５のいずれか１項に記載の画像処理装置。
【請求項７】
前記制御手段は、
前記第１設定が設定されており、かつ、前記アクセスポイント動作を常にオン状態にする設定が設定されている場合には、前記無線通信手段が前記アクセスポイント動作を開始してから所定時間内に接続要求が受信されなくとも、前記無線通信手段に前記アクセスポイント動作を継続させ、
前記第１設定が設定されており、かつ、前記アクセスポイント動作を常にオン状態にする設定が設定されていない場合には、前記無線通信手段が前記アクセスポイント動作を開始してから前記所定時間内に接続要求が受信されないことを条件として、前記無線通信手段に前記アクセスポイント動作を停止させる
ことを特徴とする請求項１から６のいずれか１項に記載の画像処理装置。
【請求項８】
前記制御手段は、
前記切断イベントがユーザによる停止指示である場合には、前記無線通信手段に前記アクセスポイント動作を停止させ、
前記切断イベントがユーザによる停止指示ではない場合には、
前記第１設定が設定されており、かつ、前記アクセスポイント動作を常にオン状態にする設定が設定されているときは、前記無線通信手段に前記アクセスポイント動作を継続させ、
前記第１設定が設定されており、かつ、前記アクセスポイント動作を常にオン状態にする設定が設定されていないとき、又は、前記第２設定が設定されているときは、前記無線通信手段に前記アクセスポイント動作を停止させる
ことを特徴とする請求項３に記載の画像処理装置。
【請求項９】
前記設定手段は、前記無線ダイレクト接続に必要な接続情報の設定として、前記第１設定と、前記第２設定と、前記アクセスポイント動作を開始する際にユーザごとに異なる接続情報を使用する第３設定とのいずれかを設定し、
前記制御手段は、前記設定手段によって前記第３設定が設定されている場合には、前記画像処理装置へのユーザのログインに従って前記アクセスポイント動作を開始するよう、前記無線通信手段を制御する
ことを特徴とする請求項１から８のいずれか１項に記載の画像処理装置。
【請求項１０】
前記制御手段は、前記第３設定が行われている場合には、外部装置から接続要求が受信される前に前記画像処理装置からユーザがログアウトすると、前記無線通信手段に前記アクセスポイント動作を停止させる
ことを特徴とする請求項９に記載の画像処理装置。
【請求項１１】
前記制御手段は、外部装置との間に確立した前記無線ダイレクト接続を切断するための切断イベントが発生した場合において、
前記切断イベントがユーザによる停止指示であるときは、前記無線通信手段に前記アクセスポイント動作を停止させ、
前記切断イベントがユーザによる停止指示ではなく、かつ、前記第３設定が行われているときは、前記無線通信手段に前記アクセスポイント動作を停止させる
ことを特徴とする請求項９又は１０に記載の画像処理装置。
【請求項１２】
前記接続情報は、ＳＳＩＤ及びパスワードである
ことを特徴とする請求項１から１１のいずれか１項に記載の画像処理装置。
【請求項１３】
前記アクセスポイント動作は、アクセスポイントモード又はＷｉ−Ｆｉ Ｄｉｒｅｃｔによって行われる
ことを特徴とする請求項１から１２のいずれか１項に記載の画像処理装置。
【請求項１４】
外部装置との無線ダイレクト接続のために画像処理装置をアクセスポイントとして動作させるアクセスポイント動作を行う無線通信手段を備える画像処理装置の制御方法であって、
前記無線ダイレクト接続に必要な接続情報の設定として、前記アクセスポイント動作を開始する際に予め定められた接続情報を用いてアクセスポイントを起動する第１設定、又は、前記アクセスポイント動作を開始する際に少なくとも前回とは異なる接続情報を用いて前記アクセスポイントを起動する第２設定を設定する設定工程と、
前記第１設定が行われている場合には、前記画像処理装置を電源オフ状態から通常電力状態へ遷移させる立ち上げ動作において、ユーザによる前記アクセスポイントを起動するためのユーザによる開始指示を受け付けることなく前記アクセスポイント動作を開始し、前記第２設定が設定されている場合には、ユーザによる前記開始指示を受け付けたことに従って前記アクセスポイント動作を開始するよう、前記無線通信手段を制御する制御工程と、を含み、
前記画像処理装置は、前記第１設定が設定されている場合と前記第２設定が設定されている場合との両方において、前記画像処理装置が提供する前記アクセスポイントに接続した外部装置から、当該アクセスポイントを経由した無線通信で情報を受信し、当該受信した情報に基づいて印刷処理又はスキャンデータ送信処理を実行可能である
ことを特徴とする画像処理装置の制御方法。
【請求項１５】
請求項１４に記載の画像処理装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】画像処理装置、その制御方法、及びプログラム
【手続補正３】
【補正対象書類名】明細書
【補正対象項目名】０００１
【補正方法】変更
【補正の内容】
【０００１】
本発明は、画像処理装置、その制御方法、及びプログラムに関するものである。
【手続補正４】
【補正対象書類名】明細書
【補正対象項目名】０００７
【補正方法】変更
【補正の内容】
【０００７】
本発明の一態様に係る画像処理装置は、外部装置との無線ダイレクト接続のために前記画像処理装置をアクセスポイントとして動作させるアクセスポイント動作を行う無線通信手段と、前記無線ダイレクト接続に必要な接続情報の設定として、前記アクセスポイント動作を開始する際に予め定められた接続情報を用いてアクセスポイントを起動する第１設定、又は、前記アクセスポイント動作を開始する際に少なくとも前回とは異なる接続情報を用いて前記アクセスポイントを起動する第２設定を設定する設定手段と、前記第１設定が設定されている場合には、前記画像処理装置を電源オフ状態から通常電力状態へ遷移させる立ち上げ動作において、ユーザによる前記アクセスポイントを起動するためのユーザによる開始指示を受け付けることなく前記アクセスポイント動作を開始し、前記第２設定が設定されている場合には、ユーザによる前記開始指示を受け付けたことに従って前記アクセスポイント動作を開始するよう、前記無線通信手段を制御する制御手段と、を備え、前記画像処理装置は、前記第１設定が設定されている場合と前記第２設定が設定されている場合との両方において、前記画像処理装置が提供する前記アクセスポイントに接続した外部装置から、当該アクセスポイントを経由した無線通信で情報を受信し、当該受信した情報に基づいて印刷処理又はスキャンデータ送信処理を実行可能であることを特徴とする。
【手続補正５】
【補正対象書類名】明細書
【補正対象項目名】００１３
【補正方法】変更
【補正の内容】
【００１３】
＜印刷装置の構成＞
図２は、印刷装置１００のハードウェア構成例を示すブロック図である。印刷装置１００は、制御部２００と、制御部２００に接続されたプリンタ２０７、スキャナ２１３、操作部２０９、無線ＬＡＮチップ２１１、及び有線ＬＡＮチップ２１５とを備える。制御部２００は、制御部２００に接続されている各デバイスを制御することで、印刷装置１００において印刷機能、スキャン機能、コピー機能、有線又は無線通信機能等の、種々の機能を実現する。制御部２００は、システムバス２０５に接続されたデバイスとして、ＣＰＵ２０１、ＲＡＭ２０２、ＲＯＭ２０３、ハードディスクドライブ（ＨＤＤ）２０４、スキャナインタフェース（Ｉ／Ｆ）２１２、プリンタＩ／Ｆ２０６、操作部Ｉ／Ｆ２０８、無線ＬＡＮ Ｉ／Ｆ２１０、及び有線ＬＡＮ Ｉ／Ｆ２１４を備える。
【手続補正６】
【補正対象書類名】明細書
【補正対象項目名】００１４
【補正方法】変更
【補正の内容】
【００１４】
ＣＰＵ２０１は、システムバス２０５を介して接続された各デバイスを制御することによって、印刷装置１００全体の動作を制御する。ＲＡＭ２０２は、ＣＰＵ２０１の主メモリ、ワークエリア等の一時記憶領域として用いられる。ＲＯＭ２０３は、印刷装置１００の制御プログラムが格納される。ＣＰＵ２０１は、ＲＯＭ２０３に格納された制御プログラムをＲＡＭ２０２に読み出して実行することで、印刷装置１００の動作を制御するための様々な処理を実行する。ＨＤＤ２０４は、各種プログラム、及び印刷データや画像データ等の各種データを格納する。なお、本実施形態では、１つのＣＰＵ２０１が後述する（各フローチャートに示す）各処理を実行する例を説明しているが、これに限られない。例えば、複数のＣＰＵが協働して各処理を実行するように印刷装置１００を構成することも可能である。